(57)【要約】【課題】簡便な構造を有して部品点数が少なく組み立ても容易であり、薄型化が図れるスイッチ板を提供する。【解決手段】合成樹脂製のキートップ板１１にヒンジ２５によって連結されるキートップ２０を設置してなるスイッチ本体板１０と、スイッチ本体板１０の下面に取り付けられキートップ２０に設けた押圧部２２に対向する位置にスイッチ７１を設けてなるスイッチ基板７０とを具備する。スイッチ本体板１０の所定位置に導光部３０−１，２，３を設置するとともに、スイッチ本体板１０を構成するキートップ板１１とヒンジ２５とキートップ２０と導光部３０−１，２，３の各部材を透光性を有する合成樹脂によって一体に成形する。【選択図】図２（１）
2006012658.tif 000002
【特許請求の範囲】
【請求項１】
合成樹脂製のキートップ板にヒンジによって連結されるキートップを設置してなるスイッチ本体板と、
前記スイッチ本体板の下面に取り付けられ前記キートップに設けた押圧部に対向する位置にスイッチを設けてなるスイッチ基板と、を具備し、
前記スイッチ本体板の所定位置に導光部を設置するとともに、前記スイッチ本体板を構成するキートップ板とヒンジとキートップと導光部の各部材を透光性を有する合成樹脂によって一体に成形したことを特徴とするスイッチ板。
【請求項２】
前記スイッチ本体板の導光部の上面以外の上面を、遮光性を有する表示層によって覆ったことを特徴とする請求項１に記載のスイッチ板。
【請求項３】
前記スイッチ本体板の上面に銘板を取り付け、且つこの銘板は、スイッチ本体板の導光部の上面に対向する部分を除く面において遮光性を有する加飾層が施されていることを特徴とする請求項１に記載のスイッチ板。
【請求項４】
前記導光部は、スイッチ本体板から前記スイッチ基板下面に露出し、その露出面を光導入部としていることを特徴とする請求項１又は２又は３に記載のスイッチ板。
【請求項５】
合成樹脂製のキートップ板にヒンジによって連結されたキートップを設置してなるスイッチ本体板と、
前記スイッチ本体板の上面に取り付けられる銘板と、
前記スイッチ本体板の下面に取り付けられ前記キートップに設けた押圧部に対向する位置にスイッチを設けてなるスイッチ基板と、を具備し、
前記銘板には、前記キートップの上面を露出する開口が設けられていることを特徴とするスイッチ板。
【請求項６】
前記スイッチ本体板の所定位置に、スイッチ本体板のスイッチ基板側に設置した発光素子の光をスイッチ本体板の銘板側に導く導光部を設置すると共に、
前記スイッチ本体板を構成するキートップ板とヒンジとキートップと導光部の各部材を透光性を有する合成樹脂によって一体に成形したことを特徴とする請求項５に記載のスイッチ板。
【発明の詳細な説明】
【技術分野】
【０００１】
本発明は、合成樹脂製のスイッチ本体板の上下面にそれぞれ銘板とスイッチ基板とを積層してなる構造のスイッチ板に関するものである。
【背景技術】
【０００２】
従来、複数のキートップを設置してなる合成樹脂製のスイッチ本体板（枠体）の上下にそれぞれ銘板とスイッチ基板とを貼り付けてなる薄板構造のスイッチ板がある（例えば特許文献１）。そしてこの種構造のスイッチ板において、前記銘板の所定部分をその裏面側から照光する場合は、前記銘板の照光しようとする部分の略真下に位置するスイッチ基板上に発光素子を取り付けることとしていた。
【０００３】
しかしながら上記構造のスイッチ板の場合、以下のような問題点があった。
（１）スイッチ板を構成する部品として、キートップとスイッチ本体板（枠体）と銘板とスイッチ基板とがそれぞれ必要で、部品点数が多く、それらの組み立て工数も増加してしまう。
【０００４】
（２）スイッチ基板上に設置された発光素子から発射された光は、放射状に拡散しながら所定距離離間した銘板に入射するので、銘板の広い範囲を照光することとなり、例えば銘板の所定の狭い部分のみを照光したいような場合、これに対応することができなかった。また光が拡散するので、照光したい部分を十分に光らせることができない上、十分光らせたい場合は容量の大きい発光素子を使用しなければならなかった。
【０００５】
この問題を解決するには、前記スイッチ本体板に、これとは別体の透明な導光体を取り付け、発光素子から発射された光を導光体を通して銘板の所望の部分に導き、これによって前記所望の部分のみを効果的に照光するようにすれば良い。しかしながらこのように構成すると、別途導光体が必要になり、部品点数が増加するばかりか、その組み立て工数も増加してしまう。
【０００６】
（３）上記構造のスイッチ板の薄型化が要求された場合、スイッチ基板上に発光素子を取り付ける厚みスペースがなくなってしまい、スイッチ板が照光できなくなる恐れがあった。
【０００７】
（４）スイッチ本体板の上面に銘板を貼り付けると、キートップの操作は銘板の上から行うこととなるが、そうするとキートップを押圧する場合に銘板を撓めなければならず、キートップの押圧感覚が重くなってその操作性が悪くなってしまう場合があった。
【特許文献１】特開平９−１８０５７４号公報
【発明の開示】
【発明が解決しようとする課題】
【０００８】
本発明は上述の点に鑑みてなされたものでありその目的は、簡便な構造を有して部品点数が少なく組み立ても容易であり、またスイッチ本体板上に銘板を設置した場合は銘板の照光したい所望の部分のみを部品点数を増加することなく効果的に照光することができ、またその薄型化が容易に図れ、またキートップの押圧操作感覚を良好にすることができるスイッチ板を提供することにある。
【課題を解決するための手段】
【０００９】
本願請求項１に記載の発明は、合成樹脂製のキートップ板にヒンジによって連結されるキートップを設置してなるスイッチ本体板と、前記スイッチ本体板の下面に取り付けられ前記キートップに設けた押圧部に対向する位置にスイッチを設けてなるスイッチ基板と、を具備し、前記スイッチ本体板の所定位置に導光部を設置するとともに、前記スイッチ本体板を構成するキートップ板とヒンジとキートップと導光部の各部材を透光性を有する合成樹脂によって一体に成形したことを特徴とするスイッチ板にある。
【００１０】
本願請求項２に記載の発明は、前記スイッチ本体板の導光部の上面以外の上面を、遮光性を有する表示層によって覆ったことを特徴とする請求項１に記載のスイッチ板にある。
【００１１】
本願請求項３に記載の発明は、前記スイッチ本体板の上面に銘板を取り付け、且つこの銘板は、スイッチ本体板の導光部の上面に対向する部分を除く面において遮光性を有する加飾層が施されていることを特徴とする請求項１に記載のスイッチ板にある。
【００１２】
本願請求項４に記載の発明は、前記導光部は、スイッチ本体板から前記スイッチ基板下面に露出し、その露出面を光導入部としていることを特徴とする請求項１又は２又は３に記載のスイッチ板にある。
【００１３】
本願請求項５に記載の発明は、合成樹脂製のキートップ板にヒンジによって連結されたキートップを設置してなるスイッチ本体板と、前記スイッチ本体板の上面に取り付けられる銘板と、前記スイッチ本体板の下面に取り付けられ前記キートップに設けた押圧部に対向する位置にスイッチを設けてなるスイッチ基板と、を具備し、前記銘板には、前記キートップの上面を露出する開口が設けられていることを特徴とするスイッチ板にある。
【００１４】
本願請求項６に記載の発明は、前記スイッチ本体板の所定位置に、スイッチ本体板のスイッチ基板側に設置した発光素子の光をスイッチ本体板の銘板側に導く導光部を設置すると共に、前記スイッチ本体板を構成するキートップ板とヒンジとキートップと導光部の各部材を透光性を有する合成樹脂によって一体に成形したことを特徴とする請求項５に記載のスイッチ板にある。
【発明の効果】
【００１５】
請求項１に記載の発明によれば、部品点数を増加することなく且つ簡便な構造で、スイッチ機能を有する一つのスイッチ本体板に照光機能をも合わせて持たせることができる。またスイッチ本体板をそのまま外装ケースに兼用させることもできるので、その場合は、さらに部品点数の削減が図れ、組み立ても容易になる。
【００１６】
請求項２に記載の発明によれば、スイッチ本体板の導光部の上面以外の上面を遮光性を有する表示層によって覆ったので、部品点数を増加することなく、スイッチ本体板の導光部を設置した部分の上面だけを照光できるばかりか、スイッチ本体板をそのまま外装ケースとして兼用させることができる。
【００１７】
請求項３に記載の発明によれば、スイッチ本体板の上面に遮光性を有する加飾層が施されている銘板を取り付けたので、銘板の中の照光したい部分を効果的に照光することができる。
【００１８】
請求項４に記載の発明によれば、導光部をスイッチ本体板からスイッチ基板下面に露出し、その露出面を光導入部としたので、この光導入部に対向して発光素子を設置することで導光部に光を導入できる。従って照光機能を有するスイッチ板を発光素子とは別に構成できるので、スイッチ板自体の薄型化が容易に図れる。
【００１９】
請求項５に記載の発明によれば、銘板に設けた開口からキートップの上面を露出したので、キートップを押圧した際に銘板が変形することなく、従って銘板によって表面を覆うタイプのスイッチ板であっても、キートップの押圧操作感覚を軽く良好にすることができる。
【００２０】
請求項６に記載の発明によれば、部品点数を増加することなく且つ簡便な構造で、スイッチ機能を有する一つのスイッチ本体板に照光機能をも合わせて持たせることができる。
【発明を実施するための最良の形態】
【００２１】
以下、本発明の実施形態を図面に基づいて詳細に説明する。図１は本発明の一実施形態にかかるスイッチ板１の斜視図、図２（１），図２（２）はスイッチ板１の分解斜視図である。なお図示の都合上、各部材の厚みは実際よりもかなり厚く示している。これらの図に示すようにスイッチ板１は、スイッチ本体板１０と、スイッチ本体板１０の上面に両面接着シート６０を介して取り付けられる銘板４０と、スイッチ本体板１０の下面に両面接着シート８０を介して取り付けられるスイッチ基板７０と、スイッチ基板７０の下面に両面接着シート９０を介して取り付けられるセパレートシート１００とを具備して構成されている。以下各構成部品について説明する。
【００２２】
図３はスイッチ本体板１０を裏面側から見た斜視図である。同図及び図２（１）に示すように、スイッチ本体板１０は透明な合成樹脂材料からなる平板状のキートップ板１１の内部の所定の複数ヶ所（八ヶ所）に設けた開口部１３内に、弾性を有するヒンジ２５によってキートップ板１１に連結されるキートップ２０を設置し、且つキートップ板１１の所定位置に三つの導光部３０−１，２，３を設置して構成されている。ここでキートップ板１１は一方が矩形状で他方が略円形の外形形状（前方後円形状）を有する平板である。各キートップ２０は円柱状のキートップ本体部２１を具備し、このキートップ本体部２１の下面中央に小突起状の押圧部２２を設け、またキートップ本体部２１の下部外周から半径方向外方に向けて張り出すつば部２３を設け、このつば部２３をヒンジ２５によってキートップ板１１の開口部１３の内側面に接続して構成されている。キートップ本体部２１はキートップ板１１の上面よりも上方向に突出している。ヒンジ２５は薄板状（キートップ板１１の厚みよりも薄い）の平板であって、前述のようにキートップ板１１の開口部１３の内側面とキートップ２０との間を連結している。ヒンジ２５の上面とつば部２３の上面とはこの実施形態ではキートップ板１１の上面と一致している。
【００２３】
導光部３０−１，２，３は円柱状であって、キートップ板１１の下面から真下に向けて突出している。三つの導光部３０−１，２，３の内、二つの導光部３０−１，２は隣接して設けられており、またもう一つの導光部３０−３はキートップ板１１の矩形状部分の一隅近傍に設けられている。前記隣接する二つの導光部３０−１，２の間の部分には、キートップ板１１を上下に貫通する光遮断用開口部１５が設けられ、またもう一つの導光部３０−３とこれに隣接する開口部１３との間の導光部３０−３の周囲部分にもキートップ板１１を上下に貫通する円弧状の光遮断用開口部１７が設けられている。なお導光部３０−１，２，３の上面（光導出部）３１はキートップ板１１の上面と同一面となっている。つまりこの実施形態においては、ヒンジ２５の上面とつば部２３の上面と導光部３０−１，２，３の上面は何れもキートップ板１１の上面と一致しており、キートップ板１１の上面から突出しているのはキートップ本体部２１のみである。また各導光部３０−１，２，３の下部はキートップ板１１の下面から下方向に向けて突出しており、その下端面は光導入部３３となっている。なお各キートップ２０の押圧部２２の下面は、キートップ板１１の下面よりも下方向には突出しておらず、従ってキートップ板１１の下面よりも下方向に突出しているのは導光部３０−１，２，３のみである。
【００２４】
そして前記スイッチ本体板１０を構成するキートップ板１１とヒンジ２５とキートップ２０と導光部３０−１，２，３の各部材は、透光性を有する合成樹脂（例えば透明なＡＢＳ樹脂等）によって一体に成形されている。また図２（１）に示すように、スイッチ本体板１０の上面の前記三つの導光部３０−１，２，３を設けた部分を除く上面には、遮光性の表示層（多数の点で示す）３５が形成されている。実際には図示はしていないが所望のキートップ２０のキートップ本体部２１の上面にはさらに記号などの表示層が形成されている。遮光性の表示層３５は通常装飾用の装飾層である。なおこの表示層３５が本実施形態で必要なのはキートップ本体部２１のみなので（後述する導光部３０−１，２，３（さらに具体的には光導出部３１）を除くそれ以外の面は後述する銘板４０に設けられた加飾層４１によって覆われるから）、それ以外の部分は表示層３５の形成を省略しても良い。表示層３５は塗装、タンポ印刷、メッキ等、種々の方法によって形成することができ、光を通さない色彩等によって形成されている。
【００２５】
銘板４０は可撓性を有する透明な合成樹脂フイルムの表面に遮光性の加飾層（多数の点で示す）４１を設けて構成されている。加飾層４１は例えば各種印刷、塗装、メッキ等によって形成されており、光を通さない色彩等によって形成されている。加飾層４１には色彩、模様、記号、文字等による種々の加飾方法がある。銘板４０の外形形状は前記スイッチ本体板１０の外形形状と同一であり、またスイッチ本体板１０の前記各キートップ本体２１に対向する位置には各キートップ本体２１を挿入する内径寸法形状（但しつば部２３の外形寸法よりも小さい）の貫通する開口４３が設けられている。また銘板４０のスイッチ本体板１０の各導光部３０−１，２，３（さらに具体的には光導出部３１）に対向する面には、光を透過する透光部４５が設けられている。各透光部４５は加飾層４１を設けないことで、透明な合成樹脂フイルムを露出して光を通すようにしており、円形で、その外径寸法は各導光部３０−１，２，３の端面（光導出部３１）とほぼ同一寸法としている。
【００２６】
両面接着シート６０は、可撓性を有する合成樹脂フイルムや不織布の上下面に接着層を形成して構成されており、その外形形状は前記スイッチ本体板１０の外形形状と略同一であり、また前記スイッチ本体板１０の各開口部１３に対向する位置には貫通する開口６１を設け、さらに前記スイッチ本体板１０の隣接する二つの導光部３０−１，２に対向する位置と、もう一つの導光部３０−３に対向する位置とにそれぞれ貫通する開口６３，６５を設けている。開口６１は開口部１３とほぼ同一形状、すなわちつば部２３を含むキートップ２０とヒンジ２５の両者全体の外形寸法よりも所定寸法大きい寸法形状（鍵穴形状）に形成されている。言い換えれば開口６１は、両面接着シート６０の接着層がつば部２３を含むキートップ２０とヒンジ２５の両者に接着しない形状寸法に形成されている。開口６１を設けたのは両面接着シート６０がキートップ２０やヒンジ２５に接着されることで、その動作が重くなるのを防止するためである。
【００２７】
開口６３は長円形状に形成されており、要は隣接する二つの導光部３０−１，２の端面（光導出部３１，３１）上を両面接着シート６０が覆わない形状寸法に形成されている。同様に開口６５は円形に形成されており、要はもう一つの導光部３０−３の端面（光導出部３１）上を両面接着シート６０が覆わない形状寸法に形成されている。開口６３，６５を設けたのは、導光部３０−１，２，３から銘板４０側に向けて発射された光が両面接着シート６０によって減衰されないようにするためである。なお開口６３，６５を設けない場合は両面接着シート６０（接着層を含む）を透明にする必要があるが、開口６３，６５を設けた場合は必ずしも両面接着シート６０を透明にする必要はない。
【００２８】
スイッチ基板７０は図２（２）に示すように、可撓性を有する合成樹脂フイルム（例えばポリエチレンテレフタレートフイルム）の上面の前記各キートップ２０の押圧部２２に対向する位置にそれぞれスイッチ７１を設置して構成されている。スイッチ基板７０の外形形状は前記スイッチ本体板１０の外形形状と略同一であり、所定の一側辺から帯状の引出部７５を引き出し、また前記スイッチ本体板１０の隣接する二つの導光部３０−１，２に対向する位置にこれら二つの導光部３０−１，２が挿入できる寸法形状の一つの長穴状の開口７７を設け、また前記スイッチ本体板１０のもう一つの導光部３０−３に対向する位置にこの導光部３０−３が挿入できる寸法形状の一つの円形の開口７９を設けている。
【００２９】
前記各スイッチ７１は、スイッチ基板７０上に形成したスイッチ接点（図示せず）の上に、ドーム形状の弾性金属板製の反転板（可動接点板）７３を取り付けて構成されている。引出部７５は前記スイッチ基板７０上に形成した各種回路パターンを外部に引き出すのに用いられている。
【００３０】
二枚の両面接着シート８０，９０は、何れも可撓性を有する合成樹脂フイルム又は不織布等の両面に接着層を設けて構成されており、その外形形状は前記スイッチ基板７０の外形形状と略同一であり、スイッチ基板７０の引出部７５を引き出す部分には矩形状の切り欠き部８１，９１が設けられ、またスイッチ基板７０の長穴状の開口７７と円形の開口７９に対向する位置にはこれらと略同一形状の開口８３，８５，９３，９５が設けられている。またセパレートシート１００は可撓性を有する紙又は合成樹脂フイルム等によって構成されており、前記両面接着シート９０と同一形状であり、従って前記切り欠き部９１，開口９３，９５と同一形状の切り欠き部１０１，開口１０３，１０５を具備している。またセパレートシート１００の、両面接着シート９０に貼り付けられる側の表面は滑らかな表面となっており、この表面が両面接着シート９０の接着層に対して容易に剥がれるようになっている。
【００３１】
次にスイッチ板１の製造手順の一例を説明すると、まずスイッチ本体板１０の上面に、両面接着シート６０によって銘板４０を貼り付ける。このとき各キートップ２０のキートップ本体部２１の上部は銘板４０の各開口４３から銘板４０の上面側に突出する。このとき銘板４０の下面の開口４３の周囲の部分は、キートップ２０のつば部２３の上面に対向し、これにより開口部１３，ヒンジ２５が加飾層４１が施された銘板４０に覆われる。またスイッチ本体板１０の各導光部３０−１，２，３の上端面、即ち各光導出部３１は、両面接着シート６０の開口６３，６５による薄い空間を介して銘板４０の各透光部４５に対向する。またこのとき各キートップ２０とヒンジ部２５には両面接着シート６０が接着されず、従って各キートップ２０とヒンジ部２５の動作には支障は生じない。
【００３２】
次にスイッチ本体板１０の下面に、両面接着シート８０によってスイッチ基板７０を貼り付ける。このとき各スイッチ７１（具体的には反転板７３の上面中央）は、両面接着シート８０を介して各キートップ２０の押圧部２２に当接又は接近して設置される。またこのときスイッチ本体板１０の下面から突出している各導光部３０−１，２，３は、両面接着シート８０の開口８３，８５とスイッチ基板７０の開口７７，７９に挿入され、スイッチ基板７０の下面に露出し、その露出面が光導入部３３となっている。
【００３３】
次にスイッチ基板７０の下面に、両面接着シート９０によってセパレートシート１００を貼り付ける。このときスイッチ本体板１０の下面から突出している各導光部３０−１，２，３は、両面接着シート９０の開口９３，９５とセパレートシート１００の開口１０３，１０５とに挿入され、セパレートシート１００の下面側に露出する。これによって図１に示すスイッチ板１が完成する。
【００３４】
図４は以上のようにして構成されたスイッチ板１の機器本体側に設けられたケース２００への取付構造を示す一部側断面図（ケース２００の断面は各部で異なる）である。同図に示すように前記スイッチ板１を収納するケース２００には、スイッチ板１の厚みと略同一深さのスイッチ板収納凹部２０１が設けられている。スイッチ板収納凹部２０１の底面２０３は平面状で、その所定位置にはスイッチ板１の下面から突出する三つの導光部３０−１，２，３を挿入する寸法形状の円形の貫通孔からなる三つの開口２０５（図では二つのみ示す）が設けられている。またケース２００下面の各開口２０５の周囲には筒状の遮蔽板２０７が設けられている。一方図示はしていないが、スイッチ板収納凹部２０１の所定位置にはスイッチ板１から突出するスイッチ基板７０の引出部７５を挿入してケース２００の下面側に引き出す開口（スリット）が設けられている。
【００３５】
そして前記スイッチ板１のセパレートシート１００を剥がしてスイッチ板収納凹部２０１内に挿入し、両面接着シート９０の露出した接着層の面（下面）をスイッチ板収納凹部２０１の底面２０３に貼り付ける。このときスイッチ板１の引出部７５をスイッチ板収納凹部２０１内に設けた図示しない開口からケース２００の下面側に引き出し、同時に三つの導光部３０−１，２，３のスイッチ板１の下面から突出している部分（光導入部３３）をスイッチ板収納凹部２０１内に設けた各開口２０５内に挿入し、これによって各導光部３０−１，２，３をこれら開口２０５からケース２００の下面側に露出する。
【００３６】
一方ケース２００の下面側には、回路基板（図３では硬質回路基板）３００が図示しない固定手段によって設置されており、この回路基板３００のケース２００に対向する側の面の前記三つの導光部３０−１，２，３にそれぞれ対向する位置にはランプ又は発光ダイオード等からなる発光素子３０１が三つ（図では二つのみ示す）設置されている。各発光素子３０１は遮蔽板２０７によって別の開口２０５に光が漏れないようになっている。なお前記ケース２００の下面側に引き出された引出部７５に設けられた電気回路は、例えばこの回路基板３００等に接続される。
【００３７】
以上のようにケース２００のスイッチ板収納凹部２０１内に収納・設置されたスイッチ板１において、前記三つの発光素子３０１の内の何れかを点灯すると、点灯した発光素子３０１に対向する導光部３０（３０−１，２，３の何れか）の下端面の光導入部３３から導光部３０内に光が導入されて光導出部３１から出射し、これに対向する銘板４０の透光部４５を介してその表面が明るく照らし出される。
【００３８】
ところでスイッチ本体板１０は透明な合成樹脂材料で構成されているので、前記導光部３０−１，２，３内に入射した光の内の一部は、スイッチ本体板１０内の導光部３０−１，２，３以外の部分にまで入射し、つまりキートップ板１１やキートップ本体２１内にも入り込んでその表面を照光する。しかしながらこの実施形態においては、銘板４０の表面は遮光性の装飾層４１によって覆われ、またキートップ本体２１の上面は遮光性の表示層３５によって覆われているので、結局明るく照らし出すことができるのは前記銘板４０の透光部４５の部分のみとなる。特にこの実施形態においては、隣接する導光部３０−１，２の内の一方、例えば導光部３０−１に光を導入した場合、両導光部３０−１，２間には光遮蔽用開口部１５が設けられ、且つケース２００には遮蔽板２０７が設けられているので、他方の導光部３０−２にその光が回り込み難く、点灯していない側の銘板４０の透光部４５が照光されることはない。またもう一つの導光部３０−３に光を導入した場合、導入した光の一部がキートップ板１１内を通してこの導光部３０−３に隣接する開口部１３に至り、銘板４０の開口４３と、キートップ本体部２１との間に形成される隙間を通して光が漏れようとするが、導光部３０−３とこれに隣接する開口部１３の間には光遮蔽用開口部１７が設けられており、且つケース２００には遮蔽板２０７が設けられているので、この開口部１３に直接導光部３０−３から洩れた光が導入されず、従って前記隙間から光はほとんど洩れ出ない。
【００３９】
一方スイッチ板１の銘板４０側の面に露出している何れかのキートップ２０のキートップ本体部２１を押圧すると、ヒンジ２５が撓むことでキートップ本体部２１が下降し、その押圧部２２がこれに対向するスイッチ基板７０上の反転板７３を反転してそのスイッチ７１をオンする。キートップ本体部２１への押圧を解除するとキートップ本体部２１はヒンジ２５及び反転板７３の弾性復帰力によって元の位置に自動復帰し、押圧部２２によるスイッチ７１の押圧が解除されてオフする。また上記スイッチ板１においては、銘板４０にキートップ２０の上面を露出する開口４３が設けられているので、キートップ２０を押圧した際にその動作を銘板４０が阻害することはなく、従ってキートップ２０の押圧動作を軽く且つ操作性良く行うことができる。また上記実施形態においては、スイッチ本体板１０に設けられた少なくとも開口部１３とヒンジ２５が銘板４０に覆われて、スイッチ本体板１０に設けられたキートップ２０が開口４３を通して銘板４０から露出する配置となり、スイッチ板１の外装ケースとしての機能美が高まる。
【００４０】
なお上記スイッチ板１においては、スイッチ本体板１０を構成するキートップ板１１とヒンジ２５とキートップ２０と導光部３０の各部材を透光性を有する合成樹脂によって一体に成形したので、これら各部材、特に導光部を別部品として構成する場合に比べて部品点数を容易に減少することができ、また簡便な構造でスイッチ機能を有する一つのスイッチ本体板１０に照光機能をも合わせて持たせることができる。この場合前述のように導光部３０−１，２，３に入射した光の一部は透明なスイッチ本体板１０全体に漏れることとなるが、このスイッチ板１においては、キートップ２０の上面が表示層３５によって被覆され、さらにそれ以外の部分は銘板４０に設けられた加飾層４１によって覆われているので、導光部３０−１，２，３によって光らせたい部分のみを容易に光らせることが可能となる。さらにこのスイッチ板１においては、導光部３０−１，２，３を、スイッチ本体板１０からスイッチ基板７０下面に露出し、その露出面を光導入部３３としているので、スイッチ基板７０自体に発光素子３０１を設置する必要がなく、照光機能を有するスイッチ板１を発光素子３０１とは別々に構成でき、これによってスイッチ板１自体の厚みを薄く構成することが可能となる。従って、別途発光素子３０１を設置するスペースを確保できる場合は、好適である。
【００４１】
またこの実施形態ではケース２００のスイッチ板収納凹部２０１内にスイッチ板１を収納してスイッチ板１のスイッチ基板７０側の面をスイッチ板収納凹部２０１の底面２０３に貼り付けることで固定するように構成したので、外装ケース等であるケース２００表面への操作部等であるスイッチ板１の取り付けが容易になる。その際スイッチ板１表面（操作面）とケース２００表面とを略同一面とすることができ、各キートップ２０の操作がし易くなる。またキートップ板１１の所定位置に設置した導光部３０を、ケース２００のスイッチ板収納凹部２０１の底面に設けた開口２０５からケース２００の下面側に露出するとともに、ケース２００の下面側であって露出した導光部３０に対向する位置に発光素子３０１を設置したので、発光素子３０１を具備しないスイッチ板１をケース２００表面に取り付けても、このスイッチ板１の表面を別に設置した発光素子３０１によって容易に照光することができる。
【００４２】
以上本明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態ではキートップ２０と導光部３０−１，２，３とをそれぞれ別の位置に設けたが、例えばキートップ２０自体を導光部として兼用させ、キートップ２０自体を発光素子によってその下面側から照光するように構成しても良い。この場合、キートップ２０の上面（全部又はその一部）を表示層３５で覆わないように構成する。
【００４３】
また上記実施形態ではスイッチ本体板１０の上面に遮光性を有する加飾層４１を設けた銘板４０を取り付けて覆ったが、場合によってはこの銘板４０（及び両面接着シート６０）を省略し、スイッチ本体板１０の上面を直接スイッチ板１の表面としても良い。この場合図２（１）に示す実施形態のように、スイッチ本体板１０の導光部３０−１，２，３を設置した部分の上面以外の上面を、遮光性を有する表示層３５によって覆うことが好ましい。このように構成すれば、さらに部品点数の削減が図れ、組み立ても容易になる。
【００４４】
また上記実施形態では銘板４０にキートップ２０を露出する開口４３を設けたが、銘板４０自身も可撓性があるので開口４３は必ずしも設ける必要がなく、開口４３のない銘板４０をスイッチ本体板１０上面に取り付けても良い。
【００４５】
また上記実施形態では部品点数を効果的に削減するために、スイッチ本体板１０自体に導光部３０−１，２，３を成形した上でスイッチ本体板１０全体を透明な材料で構成したが、場合によっては、導光部３０−１，２，３をスイッチ本体板１０とは別部品として構成し、この導光部３０−１，２，３をスイッチ本体板１０に組み込むように構成しても良い。その場合、スイッチ本体板１０は透明な材料で構成する必要はない。また上記実施形態では、キートップ板１１にヒンジ２５によってキートップ２０を連結したが、場合によってはヒンジ２５を省略し、キートップ板１１に設けた開口部１３内に上下動自在にキートップ２０を収納するだけでも良い。
【００４６】
上記実施形態では導光部３０−１，２，３を上下方向（スイッチ本体板１０の厚み方向）に向けて柱状に形成することで、その真下から導入した光を真上に導くように構成しているが、導光部３０−１，２，３の形状を湾曲させたり、反射面を設けて反射させたりすることで、スイッチ本体板１０の下面から導入した光を真上以外の所望の位置に導いてその上の銘板等を光らせるように構成しても良い。また導光部３０−１，２，３は必ずしもケース２００の下面から突出させる必要はなく、ケース２００のスイッチ板収納凹部２０１の底面２０３に設けた開口２０５からケース２００の下面側に露出するだけでも良い。
【図面の簡単な説明】
【００４７】
【図１】本発明の一実施形態にかかるスイッチ板１の斜視図である。
【図２（１）】スイッチ板（その上側部分）１の分解斜視図である。
【図２（２）】スイッチ板（その下側部分）１の分解斜視図である。
【図３】スイッチ本体板１０を裏面側から見た斜視図である。
【図４】スイッチ板１のケース２００への取付構造を示す一部側断面図である。
【符号の説明】
【００４８】
１  スイッチ板
１０  スイッチ本体板
１１  キートップ板
１３  開口部
１５，１７  光遮断用開口部
２０  キートップ
２１  キートップ本体部
２２  押圧部
２３  つば部
２５  ヒンジ
３０−１，２，３  導光部
３１  光導出部
３３  光導入部
３５  表示層
４０  銘板
４１  加飾層
４３  開口
４５  透光部
６０  両面接着シート
７０  スイッチ基板
７１  スイッチ
７３  反転板（可動接点板）
８０  両面接着シート
９０  両面接着シート
１００  セパレートシート
２００  ケース
２０１  スイッチ板収納凹部
２０３  底面
２０５  開口
３００  回路基板
３０１  発光素子
【図１】
2006012658.tif 000003
【図２（１）】
2006012658.tif 000004
【図２（２）】
2006012658.tif 000005
【図３】
2006012658.tif 000006
【図４】
2006012658.tif 000007